(57)【要約】【課題】ヒンジ機構の保持強度を確保するとともに、低コスト、軽量化、小型化を実現し、耐静電気特性の向上を可能とするヒンジ機構の保持構成を有する撮像装置を提供すること。【解決手段】表示装置（２）と、前記表示装置を回動可能に保持するヒンジ機構（３）と、前記ヒンジ機構は、固定部であるスタンド部（３ａ、３ｂ）を有し、前記ヒンジ機構が、前記スタンド部を介して取り付けられる外装部材（４０）と、樹脂からなるシャーシ（５０）と、前記シャーシに取り付けられる金属部材（５１〜５３）と、を備える撮像装置であって、撮像装置の外観面側から、前記外装部材、前記スタンド部、前記金属部材、前記シャーシが接触した状態となっており、前記シャーシは、前記外装部材の外観面側から挿入された第１の締結部材（６ａ、６ｂ）が締結される締結部（５０ａ、５０ｂ）を有することを特徴とする。【選択図】図２
2018180311.tif 000002
【特許請求の範囲】
【請求項１】
表示装置と、前記表示装置を回動可能に保持するヒンジ機構と、前記ヒンジ機構は、固定部であるスタンド部を有し、
前記ヒンジ機構が、前記スタンド部を介して取り付けられる外装部材と、樹脂からなるシャーシと、前記シャーシに取り付けられる金属部材と、を備える撮像装置であって、
撮像装置の外観面側から、前記外装部材、前記スタンド部、前記金属部材、前記シャーシが接触した状態となっており、前記シャーシは、前記外装部材の外観面側から挿入された第１の締結部材が締結される締結部を有することを特徴とする撮像装置。
【請求項２】
前記金属部材は、前記スタンド部よりも薄いことを特徴とする請求項１に記載の撮像装置。
【請求項３】
前記第１の締結部材の締結方向から見て、横方向の延長線上に締結される第２の締結部材と、前記第１の締結部材の締結方向から見て、縦方向の延長線上に締結される第３の締結部材と、を有し、前記第１の締結部材と前記第２の締結部材と前記第３の締結部材の締結方向はそれぞれ直交していることを特徴とする請求項１又は請求項２に記載の撮像装置。
【発明の詳細な説明】
【技術分野】
【０００１】
本発明は、回動可能な表示装置を有する撮像装置に関し、特に表示装置の保持構成に関する。
【背景技術】
【０００２】
従来、デジタルカメラなどの撮像装置において、撮像素子から出力された信号を撮像装置の外観に設けられた表示装置に表示して、撮影前に構図や露出を確認する事が出来るライブビュー機能を有するものがある。この様な撮像装置においては、極端なローアングルやハイアングルにおいて表示装置の視認性を確保するために、表示装置が撮像装置本体に対して回動可能に保持されているものがある。この表示装置を回動可能に保持するために、表示装置とヒンジ機構を締結し、ヒンジ機構を撮像装置本体に固定する構成が提案されている。
【０００３】
近年、表示装置の大型化に伴い、撮影者が表示装置を回動させる際にヒンジ機構に発生する荷重は増加しており、ヒンジ機構およびその取り付け部には従来より高い強度が要求されている。
【０００４】
以下に示す特許文献１には、撮像装置の背面カバーに対してヒンジ機構を位置決めし、ヒンジ機構と金属製の保持部材で背面カバーを挟み込んだ状態でヒンジ機構と保持部材をビスで締結する構成が開示されている。
【０００５】
また、以下に示す特許文献２には、電子機器のシャーシ部材を構成する金属部材に対してヒンジ機構を固定する構成が開示されている。
【先行技術文献】
【特許文献】
【０００６】
【特許文献１】特開２０１２−８５２４５号公報
【特許文献２】特開２０１２−４４５９５号公報
【発明の概要】
【発明が解決しようとする課題】
【０００７】
しかしながら、上述の特許文献１に開示された従来技術では、金属製の保持部材を必要とするため、撮像装置が重くなってしまい、また、保持部材の分コストがかかってしまう。また、ヒンジ機構と保持部材が直接接触しておらず、ビスを介して接続しているのみであるため、ヒンジ機構とシャーシ部のグランドとの電気的接続が弱い。そのため、静電気による表示の乱れ等の誤動作に対して弱い構成となっている。さらに、保持部材はＬ字状の形をしており、撮像装置の側面部にも存在しているため、保持部材の板厚分、撮像装置の側面方向の寸法が大きくなってしまう。
【０００８】
一方、上述の特許文献２に開示された従来技術においても、特許文献１と同様に、金属部材が必要であるため、電子機器が重くなってしまう。しかし、金属部材とヒンジ機構が直接接触しているため、特許文献１に開示された従来技術よりも静電気に対して有利な構成である。しかし、ヒンジ機構がシャーシ部材に対して固定されているため、外装部材と表示部の位置ばらつきが大きくなり、外観品位が劣ってしまう。
【０００９】
そこで、本発明の目的は、ヒンジ機構の保持強度を確保するとともに、低コスト、軽量化、小型化を実現し、耐静電気特性の向上を可能とするヒンジ機構の保持構成を有する撮像装置を提供することにある。
【課題を解決するための手段】
【００１０】
上記の目的を達成するために、本発明に係る撮像装置は、
表示装置と、前記表示装置を回動可能に保持するヒンジ機構と、
前記ヒンジ機構は、固定部であるスタンド部を有し、前記ヒンジ機構が、前記スタンド部を介して取り付けられる外装部材と、樹脂からなるシャーシと、前記シャーシに取り付けられる金属部材と、を備える撮像装置であって、撮像装置の外観面側から、前記外装部材、前記スタンド部、前記金属部材、前記シャーシが接触した状態となっており、前記シャーシは、前記外装部材の外観面側から挿入された第１の締結部材が締結される締結部を有することを特徴とする。
【発明の効果】
【００１１】
本発明によれば、ヒンジ機構の保持強度を確保するとともに、低コスト、軽量化、小型化を実現し、耐静電気特性の向上を可能とするヒンジ機構の保持構成を有する撮像装置を提供することができる。
【図面の簡単な説明】
【００１２】
【図１】本発明の実施形態を示したデジタルカメラの斜視図である。
【図２】本発明の実施形態を示したデジタルカメラの分解斜視図である。
【図３】本発明の実施形態を示した背面カバーユニットの斜視図である。
【図４】本発明の実施形態を示したシャーシユニットの斜視図である。
【図５】本発明の実施形態を示したデジタルカメラの断面図である。
【発明を実施するための形態】
【００１３】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【実施例】
【００１４】
図１から図５を用いて、本発明の表示装置を搭載する撮像装置の一実施形態であるデジタルカメラを説明する。図１（ａ）は本実施例のデジタルカメラを後方（撮影者側）から見た斜視図である。図１（ｂ）は本実施例のデジタルカメラの表示装置を開いた状態を後方（撮影者側）から見た斜視図である。図１（ｃ）は本実施例のデジタルカメラの表示装置を開いた状態を後方（撮影者側）底面方向から見た斜視図である。
【００１５】
図１（ａ）から図１（ｃ）において、１はデジタルカメラ本体であり、２は撮影画像等を確認可能な表示装置ユニットである。表示装置ユニット２は、撮影画像等が表示される表示部２ａと背面２ｂを有している。ここで、表示部２ａは、例えば３．０インチ程度のＴＦＴ液晶パネルなどから構成されている。また、表示装置ユニット２は、撮影時にはビューファインダーとしても利用可能となっている。
【００１６】
３はヒンジ機構である。ヒンジ機構３は表示装置ユニット２および後述する背面カバー４０と一体化されており、後述する背面カバーユニット４を形成している。表示装置ユニット２はヒンジ機構３により回転し、デジタルカメラ本体１に対して開閉可能に結合されている。ヒンジ機構３の回転中心軸Ｙにより回転し、表示装置ユニット２が開いている状態で、さらにヒンジ機構３の回転中心軸Ｘにより回転をさせることで、撮影者はより自由なアングルにて撮影を行うことができる。
【００１７】
図２（ａ）はデジタルカメラ本体１を後方から見た分解斜視図であり、図２（ｂ）はデジタルカメラ本体１を後方底面方向から見た分解斜視図である。
【００１８】
表示ユニット２、ヒンジ機構３、および背面カバー４０が組み合わさることで、背面カバーユニット４を形成している。背面カバー４０は樹脂で成形されている。５はシャーシユニットである。シャーシユニット５は後述する樹脂シャーシ５０と金属板５１〜５５で構成されており、デジタルカメラ本体１の骨格の一部をなしている。
【００１９】
６ａ〜６ｆはビスである。背面カバー４０にはビス６ａ〜６ｆが挿通される穴４０ａ〜４０ｆが設けられており、シャーシ５の樹脂シャーシ５０にはビス６ａ〜６ｆが締結されるビス穴５０ａ〜５０ｆが設けられている。背面カバーユニット４がシャーシユニット５に組み付けられた後、ビス６ａ〜６ｆが締め付けられることで、背面カバーユニット４が固定される。
【００２０】
図３（ａ）は背面カバーユニット４を裏側（デジタルカメラ本体１の内部側）から見た斜視図であり、図３（ｂ）は背面カバーユニット４を裏側から見た分解斜視図であり、図３（ｃ）は図３（ｂ）の拡大図である。
【００２１】
表示装置ユニット２は、ヒンジ機構３を介して、背面カバー４０に対して裏側から取り付けられる。また、表示装置ユニット２のグランド部はヒンジ機構３に対して電気的にも接続されている。
【００２２】
ヒンジ機構３のさらに裏側にはヒンジ裏カバー８が取り付けられている。ヒンジ裏カバー８は、樹脂で成形されており、デジタルカメラ本体１の内部が露出するのを防ぐためのカバーである。ヒンジ裏カバー８が無ければ、ヒンジ機構３と背面カバー４０の隙間からデジタルカメラ本体１の内部が露出してしまう。
【００２３】
ヒンジ機構３には、それぞれ金属からなる上スタンド３ａおよび下スタンド３ｂが設けられている。上スタンド３ａと下スタンド３ｂにはそれぞれ位置決め穴３ａ１、３ｂ１が設けられており、背面カバー４０に設けられた位置決めダボ４０ｇ、４０ｈと嵌合することによって、ヒンジ機構３は背面カバー４０に対して位置決めされる。また、上スタンド３ａと下スタンド３ｂにはそれぞれ穴３ａ２、３ｂ２が設けられており、ヒンジ裏カバー８には穴８ａ、８ｂが設けられており、背面カバー４０にはビス穴４０ｉ、４０ｊが設けられている。ビス７ａは穴８ａ、穴３ａ２を貫通してビス穴４０ｉに対して締め付けられ、ビス７ｂは穴８ｂ、穴３ｂ２を貫通してビス穴４０ｊに対して締め付けられる。このようにして、ヒンジ機構３は背面カバー４０に対して固定される。さらに、上スタンド３ａと下スタンド３ｂにはそれぞれ穴３ａ３、３ｂ３が設けられており、ヒンジ機構３が背面カバー４０に取り付けられた状態において、穴３ａ３、３ｂ３はそれぞれ、背面カバー４０の穴４０ａ、４０ｂと同軸となっている。
【００２４】
この様な構成にすることで、表示装置ユニット２が固定されたヒンジ機構３が背面カバー４０に設けられた位置決めダボ４０ｇ、４０ｈによって直接位置決めされるため、表示装置ユニット２と背面カバー４０の相対的な位置関係のばらつきがなくなる。そのため、表示装置ユニット２が傾いて取りつけられることによる外観の品位の低下を抑えることができる。
【００２５】
図４（ａ）はシャーシユニット５を後方（撮影者側）底面方向から見た斜視図であり、図４（ｂ）はシャーシユニット５を後方（撮影者側）底面方向から見た分解斜視図である。
【００２６】
シャーシユニット５は樹脂で成形された樹脂シャーシ５０と金属板５１〜５４で構成されている。金属板５１〜５４は薄い板金で形成されており、不図示の基板等を介して不図示の電池のグランド部と接続されている。金属板５１〜５４は、このように、グランド接続を目的としたものであり、強度・剛性を保つための部材ではない。そのため、薄い板金で形成されている。
【００２７】
図５は図１（ｂ）のＡ−Ａ断面図である。図５を見てわかるように、ヒンジ機構３の下スタンド３ｂとシャーシユニット５の金属板５２、５３が接触している。断面図としては明記しないが、図５と同様に、ヒンジ機構の上スタンド３ａとシャーシユニット５の金属板５１が接触する構成となっている。このようにして、ヒンジ機構３とシャーシユニット５が強固にグランド接続されている。
【００２８】
前述したように表示装置ユニット２はヒンジ機構３と電気的に接続されているため、表示装置ユニット２はシャーシユニット５と電気的に接続されることとなる。これによって、表示装置ユニット２の表示部２ａを駆動した際に、カメラ本体から発生される電磁ノイズを抑制することが可能となる。また、ヒンジ機構３とシャーシユニット５が直接強固にグランド接続されているため、静電気による表示の乱れ等の誤動作がより起こりにくい構成となっている。
【００２９】
また、図１と図５を見てわかるように、背面カバー４０と樹脂シャーシ５０、ビス６ａ〜６ｄによって箱形状が形成されており、その箱形状の中にヒンジ機構３の上スタンド３ａと下スタンド３ｂが挟まれた構成となっている。そのため、従来例にあるような金属製の保持部材を用いなくてもヒンジ機構３を高強度に保持することが可能となる。ここで、ビス６ａの中心線の横方向の略延長線上にビス６ｃがビス６ａと略直交する向きに締結されており、ビス６ｂの中心線の縦方向の略延長線上にビス６ｃがビス６ｂと略直交する向きに締結されている。このようにすることで、前述の箱形状が歪みにくい、より強固な構成となっている。
【００３０】
さらに、本実施例では、従来例にあるヒンジ保持部材を不要としているため、デジタルカメラ本体１の寸法を小型化することが可能となる。厚み方向寸法に関しては、本実施例では、従来例のヒンジ保持部材が無い代わりにヒンジ裏カバー８が存在する。ただし、本実施例におけるヒンジ裏カバー８は強度をもたない樹脂部材であるため局所的な薄型化が可能であり、従来例における金属製の保持部材を用いた構成よりも、厚み方向寸法に関してもより小型化が可能な構成となっている。
【００３１】
以上、本発明の好ましい実施形態について説明したが、本発明はこれらの実施形態に限定されず、その要旨の範囲内で種々の変形及び変更が可能である。また、本発明は、デジタルムービーカメラ、携帯型のＰＣ、携帯電話等に適用してもよい。また、本実施形態における表示パネルとしては、バックライトが内蔵された透過型の液晶表示装置やバックライトの代わりに反射板を内蔵した、いわゆる反射型の液晶表示装置のどちらとしてもよい。
【符号の説明】
【００３２】
１  デジタルカメラ本体、２  表示装置ユニット、３  ヒンジ機構、
３ａ  上スタンド、３ｂ  下スタンド、６ａ〜６ｆ  ビス、４０  背面カバー、
５０  樹脂シャーシ、５０ａ〜５０ｅ  ビス穴、５１〜５４  金属板
【図１】
2018180311.tif 000003
【図２】
2018180311.tif 000004
【図３】
2018180311.tif 000005
【図４】
2018180311.tif 000006
【図５】
2018180311.tif 000007